(57)【要約】【課題】収納部に収納される紙葉類の種別に応じて当該収納部に収納される最大容量が初期値から変更されるため、様々な種別の紙葉類の入金処理を行うことができ、また、収納部で紙葉類があふれる等のトラブルが生じることを防止することができる紙葉類処理機および紙葉類処理方法を提供する。【解決手段】紙葉類処理機（例えば、紙幣処理機１０）は、搬送部１６により搬送される紙葉類を識別する識別部１８と、識別部１８により識別された紙葉類を収納する収納部（例えば、各紙幣収納庫３０や紙幣収納カセット４０）と、収納部における紙葉類の最大容量を記憶する記憶部５４と、識別部１８により識別された紙葉類の種別に関する情報に基づいて、記憶部５４に記憶されている最大容量を変更する最大容量変更手段５８とを備えている。【選択図】図５
2017027431.tif 000002
【特許請求の範囲】
【請求項１】
紙葉類が投入されるとともに、投入された紙葉類を機体内に繰り出す繰出機構が設けられた投入部と、
前記繰出機構により機体内に繰り出された紙葉類を搬送する搬送部と、
前記搬送部により搬送される紙葉類を識別する識別部と、
前記識別部により識別された紙葉類を収納する収納部と、
前記収納部における紙葉類の最大容量を記憶する記憶部と、
前記識別部により識別された紙葉類の種別に関する情報に基づいて、前記記憶部に記憶されている最大容量を変更する最大容量変更手段と、
を備えた、紙葉類処理機。
【請求項２】
前記搬送部の制御を行う制御部を更に備え、
前記制御部は、前記収納部における紙葉類の収納量が前記記憶部に記憶されている最大容量を超えないように前記搬送部の制御を行う、請求項１記載の紙葉類処理機。
【請求項３】
前記識別部は、前記搬送部により搬送される紙葉類が特定種別の紙葉類であるか否かを判別するようになっており、
前記最大容量変更手段は、前記収納部に収納される特定種別の紙葉類の収納量と、前記収納部に収納される特定種別ではない紙葉類の収納量との割合に基づいて、前記記憶部に記憶されている最大容量を変更する、請求項１または２記載の紙葉類処理機。
【請求項４】
前記識別部は、前記搬送部により搬送される紙葉類が特定種別の紙葉類であるか否かを判別するようになっており、
前記最大容量変更手段は、前記収納部に収納される特定種別の紙葉類の収納量と、前記収納部に収納される特定種別ではない紙葉類の収納量との差に基づいて、前記記憶部に記憶されている最大容量を変更する、請求項１または２記載の紙葉類処理機。
【請求項５】
前記識別部は、前記搬送部により搬送される紙葉類が特定種別の紙葉類であるか否かを判別するようになっており、
前記最大容量変更手段は、前記収納部に収納される特定種別の紙葉類の収納量に基づいて、前記記憶部に記憶されている最大容量を変更する、請求項１または２記載の紙葉類処理機。
【請求項６】
前記最大容量変更手段は、前記収納部に収納される特定種別の紙葉類の収納量が予め設定された所定量に達したときに、前記記憶部に記憶されている最大容量を変更する、請求項５記載の紙葉類処理機。
【請求項７】
前記識別部は、前記搬送部により搬送される紙葉類に含まれる所定の特徴部分を検知したときに当該紙葉類を特定種別の紙葉類であると判別する、請求項３乃至６のいずれか一項に記載の紙葉類処理機。
【請求項８】
前記識別部は、前記搬送部により搬送される紙葉類がポリマーフィルム部分を含むものであることを検知したときに当該紙葉類を特定種別の紙葉類であると判別する、請求項３乃至６のいずれか一項に記載の紙葉類処理機。
【請求項９】
前記識別部は、前記搬送部により搬送される紙葉類の向きも検知するようになっており、
前記識別部は、前記搬送部により搬送される紙葉類に含まれる所定の特徴部分を検知するとともに紙葉類の向きが所定の向きであることを検知したときに当該紙葉類を特定種別の紙葉類であると判別する、請求項３乃至６のいずれか一項に記載の紙葉類処理機。
【請求項１０】
前記収納部は機体外に取り外し可能となっているととともに、前記記憶部は当該収納部に設けられており、
前記紙葉類処理機は、前記収納部が機体内に装着されたときに前記記憶部に記憶されている情報を読み取る読取部を更に備えた、請求項１乃至９のいずれか一項に記載の紙葉類処理機。
【請求項１１】
前記収納部は複数設けられており、
複数の前記収納部として、特定種別の紙葉類に対応するものおよび特定種別の紙葉類に対応しないものが用いられるようになっており、
特定種別の紙葉類に対応する前記収納部に設けられた前記記憶部に記憶されている最大容量は、特定種別の紙葉類に対応しない前記収納部に設けられた前記記憶部に記憶されている最大容量よりも小さくなっている、請求項１０記載の紙葉類処理機。
【請求項１２】
前記収納部は機体外に取り外し可能となっているととともに、前記収納部を識別するための識別端子が当該収納部に設けられており、
前記紙葉類処理機は、
前記収納部が機体内に装着されたときに前記識別端子の識別情報を読み取る読取部と、
前記読取部により読み取られた識別情報に基づいて、前記記憶部に記憶される最大容量を設定する最大容量設定手段と、
を更に備えた、請求項１乃至９のいずれか一項に記載の紙葉類処理機。
【請求項１３】
前記識別端子の識別情報は、特定種別の紙葉類に対応するものであるか否かという情報を含み、
前記最大容量設定手段は、特定種別の紙葉類に対応する前記収納部の最大容量を、特定種別の紙葉類に対応しない前記収納部の最大容量よりも小さくするよう、前記記憶部に記憶される最大容量を設定する、請求項１２記載の紙葉類処理機。
【請求項１４】
前記記憶部に記憶されている情報を表示する表示部を更に備えた、請求項１乃至１３のいずれか一項に記載の紙葉類処理機。
【請求項１５】
前記記憶部に記憶されている最大容量が変更されたときに、前記記憶部に記憶されている最大容量が変更された旨の情報が前記表示部に表示される、請求項１４記載の紙葉類処理機。
【請求項１６】
紙葉類が投入されるとともに、投入された紙葉類を機体内に繰り出す繰出機構が設けられた投入部と、
前記繰出機構により機体内に繰り出された紙葉類を搬送する搬送部と、
前記搬送部により搬送される紙葉類を識別する識別部と、
前記識別部により識別された紙葉類を一時的に保留する一時保留部と、
前記一時保留部により一時的に保留された紙葉類を収納する収納部と、
前記収納部における紙葉類の最大容量を記憶する記憶部と、
前記記憶部に記憶されている前記最大容量、前記収納部における紙葉類の収納量および前記一時保留部に一時的に保留されている紙葉類の種別に係る情報に基づいて、前記識別部により識別された紙葉類を前記一時保留部に搬送する動作を選択的に規制するよう前記搬送部の制御を行う制御部と、
を備えた、紙葉類処理機。
【請求項１７】
前記制御部は、前記識別部により識別された紙葉類の種別に対応する前記収納部に当該紙葉類を収納させる際に前記収納部における紙葉類の収納状態が所定の状態となっていると予想される場合には、前記識別部により識別された当該種別の紙葉類を前記一時保留部に搬送しないよう前記搬送部の制御を行う、請求項１６記載の紙葉類処理機。
【請求項１８】
前記制御部は、前記識別部により識別された紙葉類の種別に対応する前記収納部に当該紙葉類を収納させる際に前記収納部における紙葉類の収納状態が所定の状態となっていると予想される場合には、前記一時保留部に紙葉類を搬送しないよう前記搬送部の制御を行う、請求項１６記載の紙葉類処理機。
【請求項１９】
収納部における紙葉類の最大容量を記憶部に予め記憶させる工程と、
投入部に投入された紙葉類を機体内に繰り出す工程と、
機体内に繰り出された紙葉類を搬送し、識別部により識別する工程と、
前記識別部により識別された紙葉類を前記収納部に収納する工程と、
前記識別部により識別された紙葉類の種別に関する情報に基づいて、前記記憶部に記憶されている最大容量を変更する工程と、
を備えた、紙葉類処理方法。
【請求項２０】
収納部における紙葉類の最大容量を記憶部に予め記憶させる工程と、
投入部に投入された紙葉類を機体内に繰り出す工程と、
機体内に繰り出された紙葉類を搬送し、識別部により識別する工程と、
前記識別部により識別された紙葉類を一時保留部に一時的に保留する工程と、
前記一時保留部により一時的に保留された紙葉類を収納部に収納する工程と、
を備え、
前記記憶部に記憶されている前記最大容量、前記収納部における紙葉類の収納量および前記一時保留部に一時的に保留されている紙葉類の種別に係る情報に基づいて、前記識別部により識別された紙葉類を前記一時保留部に搬送する動作を選択的に規制する、紙葉類処理方法。
【発明の詳細な説明】
【技術分野】
【０００１】
本発明は、紙幣、証券、小切手、チケット等の紙葉類の処理を行う紙葉類処理機およびこのような紙葉類処理機による紙葉類処理方法に関する。
【背景技術】
【０００２】
従来から、紙幣、証券、小切手、チケット等の紙葉類の入金処理や入出金処理を行う紙葉類処理機が広く用いられている。このような紙葉類処理機において、機体内に投入された紙葉類を収納する収納部として様々なタイプのものが用いられている。例えば、特許文献１には、帯状のテープによって紙葉類をドラム等の回転体の外周面に巻き付けることにより当該回転体に紙葉類を収納するテープ式の収納部が開示されている。また、特許文献２には、紙葉類を積層状態で集積させるスタッカ式の収納部が開示されている。このような収納部が用いられる紙葉類処理機では、収納部における紙葉類の最大容量（例えば、紙葉類のフル枚数）等が設定されており、このような最大容量は収納部毎に記憶部に記憶されている。また、特許文献３には、収納部の満杯量として満杯収納量を予め設定するような紙葉類処理機が開示されている。
【先行技術文献】
【特許文献】
【０００３】
【特許文献１】特開２００６−６９７０８号公報
【特許文献２】特開２０１３−２０５９０７号公報
【特許文献３】特開２００５−４５０８号公報
【発明の概要】
【発明が解決しようとする課題】
【０００４】
近年では、上述した紙葉類処理機において様々な種別の紙葉類の入金処理が行われるようになっている。例えば、紙葉類の入金処理において、同じ金種や額面の正券および損券が混合状態で機体内に投入されたり、同じ金種や額面の新券および旧券が混合状態で機体内に投入されたり、あるいは異なる金種や額面の紙葉類が機体内に投入されたりするようになっており、この場合には様々な種別の紙葉類が収納部に収納されるようになる。しかしながら、紙葉類の種別毎に当該紙葉類が持つ特性が異なっており、収納部に収納される紙葉類の種別によっては当該収納部に割り当てられている最大容量よりも少ない量の紙葉類しか収納部に収納できないおそれがあった。例えば、収納部に損券を収納させる場合には、このような損券は損傷度合いが大きく嵩張ってしまうため、正券に比べて収納部に収納できる量が少なくなってしまうという問題があった。
【０００５】
また、近年では、一部の国や地域において、紙とポリマーフィルムとを組み合わせたようなハイブリッド紙幣が使用され始めている。具体的には、ポリマーフィルムが紙幣の一部分に貼り付けられることによりハイブリッド紙幣が形成されるようになっている。あるいは、紙幣の短手方向に沿って直線状に延びるポリマーフィルムを一対の紙片により挟むことによりハイブリッド紙幣が形成されるようになっていてもよい。しかしながら、ハイブリッド紙幣におけるポリマーフィルムまたはポリマーフィルムを貼り付けた部分は紙片よりもコシが強く、また、ポリマーフィルムまたはポリマーフィルムを貼り付けた部分の厚さは紙片の厚さよりも大きいため、テープ式やスタッカ式の収納部におけるハイブリッド紙幣の収納量は従来の紙のみからなる紙幣の収納量よりも少なくなってしまうという問題がある。このため、紙幣処理機において収納部における紙幣の最大容量（具体的には、従来の紙のみからなる紙幣の最大容量）が設定されている場合には、従来の紙のみからなる紙幣と同じ量のハイブリッド紙幣を収納部に収納させることができず、多くの量のハイブリッド紙幣を収納部に収納させようとすると当該収納部において紙幣があふれる等のトラブルが生じるおそれがあった。
【０００６】
本発明は、このような点を考慮してなされたものであり、収納部に収納される紙葉類の種別に応じて当該収納部に収納される最大容量が初期値から変更されるため、様々な種別の紙葉類の入金処理を行うことができ、また、収納部で紙葉類があふれる等のトラブルが生じることを防止することができる紙葉類処理機および紙葉類処理方法を提供することを目的とする。
【０００７】
本発明の他の目的は、一時保留部に一時的に保留されている紙葉類をリジェクト等させずに確実に収納部に収納させることができる紙葉類処理機および紙葉類処理方法を提供することにある。
【課題を解決するための手段】
【０００８】
本発明の紙葉類処理機は、紙葉類が投入されるとともに、投入された紙葉類を機体内に繰り出す繰出機構が設けられた投入部と、前記繰出機構により機体内に繰り出された紙葉類を搬送する搬送部と、前記搬送部により搬送される紙葉類を識別する識別部と、前記識別部により識別された紙葉類を収納する収納部と、前記収納部における紙葉類の最大容量を記憶する記憶部と、前記識別部により識別された紙葉類の種別に関する情報に基づいて、前記記憶部に記憶されている最大容量を変更する最大容量変更手段と、を備えたことを特徴とする。
【０００９】
このような紙葉類処理機によれば、識別部により識別された紙葉類の種別に関する情報に基づいて、記憶部に記憶されている最大容量を変更することにより、収納部に収納される紙葉類の種別に応じて当該収納部に収納される最大容量が初期値から変更されるため、様々な種別の紙葉類の入金処理を行うことができ、また、収納部で紙葉類があふれる等のトラブルが生じることを防止することができる。
【００１０】
上記の紙葉類処理機は、前記搬送部の制御を行う制御部を更に備え、前記制御部は、前記収納部における紙葉類の収納量が前記記憶部に記憶されている最大容量を超えないように前記搬送部の制御を行うようになっていてもよい。すなわち、前記制御部は、紙葉類の収納量が前記記憶部に記憶されている最大容量に達した前記収納部に紙葉類を送らないように前記搬送部の制御を行ったり、紙葉類の収納量が前記記憶部に記憶されている最大容量に達する直前に前記収納部に紙葉類を送らないように前記搬送部の制御を行ったりするようになっていてもよい。
【００１１】
上記の紙葉類処理機においては、前記識別部は、前記搬送部により搬送される紙葉類が特定種別の紙葉類であるか否かを判別するようになっており、前記最大容量変更手段は、前記収納部に収納される特定種別の紙葉類の収納量と、前記収納部に収納される特定種別ではない紙葉類の収納量との割合に基づいて、前記記憶部に記憶されている最大容量を変更するようになっていてもよい。
【００１２】
あるいは、前記識別部は、前記搬送部により搬送される紙葉類が特定種別の紙葉類であるか否かを判別するようになっており、前記最大容量変更手段は、前記収納部に収納される特定種別の紙葉類の収納量と、前記収納部に収納される特定種別ではない紙葉類の収納量との差に基づいて、前記記憶部に記憶されている最大容量を変更するようになっていてもよい。
【００１３】
あるいは、前記識別部は、前記搬送部により搬送される紙葉類が特定種別の紙葉類であるか否かを判別するようになっており、前記最大容量変更手段は、前記収納部に収納される特定種別の紙葉類の収納量に基づいて、前記記憶部に記憶されている最大容量を変更するようになっていてもよい。
【００１４】
この場合、前記最大容量変更手段は、前記収納部に収納される特定種別の紙葉類の収納量が予め設定された所定量に達したときに、前記記憶部に記憶されている最大容量を変更するようになっていてもよい。
【００１５】
また、前記識別部は、前記搬送部により搬送される紙葉類に含まれる所定の特徴部分を検知したときに当該紙葉類を特定種別の紙葉類であると判別するようになっていてもよい。
【００１６】
あるいは、前記識別部は、前記搬送部により搬送される紙葉類がポリマーフィルム部分を含むものであることを検知したときに当該紙葉類を特定種別の紙葉類であると判別するようになっていてもよい。
【００１７】
あるいは、前記識別部は、前記搬送部により搬送される紙葉類の向きも検知するようになっており、前記識別部は、前記搬送部により搬送される紙葉類に含まれる所定の特徴部分を検知するとともに紙葉類の向きが所定の向きであることを検知したときに当該紙葉類を特定種別の紙葉類であると判別するようになっていてもよい。
【００１８】
上記の紙葉類処理機においては、前記収納部は機体外に取り外し可能となっているととともに、前記記憶部は当該収納部に設けられており、前記紙葉類処理機は、前記収納部が機体内に装着されたときに前記記憶部に記憶されている情報を読み取る読取部を更に備えていてもよい。
【００１９】
この場合、前記収納部は複数設けられており、複数の前記収納部として、特定種別の紙葉類に対応するものおよび特定種別の紙葉類に対応しないものが用いられるようになっており、特定種別の紙葉類に対応する前記収納部に設けられた前記記憶部に記憶されている最大容量は、特定種別の紙葉類に対応しない前記収納部に設けられた前記記憶部に記憶されている最大容量よりも小さくなっていてもよい。
【００２０】
上記の紙葉類処理機においては、前記収納部は機体外に取り外し可能となっているととともに、前記収納部を識別するための識別端子が当該収納部に設けられており、前記紙葉類処理機は、前記収納部が機体内に装着されたときに前記識別端子の識別情報を読み取る読取部と、前記読取部により読み取られた前記収納部の識別情報に基づいて、前記記憶部に記憶される最大容量を設定する最大容量設定手段と、を更に備えていてもよい。
【００２１】
この場合、前記識別端子の識別情報は、特定種別の紙葉類に対応するものであるか否かという情報を含み、前記最大容量設定手段は、特定種別の紙葉類に対応する前記収納部の最大容量を、特定種別の紙葉類に対応しない前記収納部の最大容量よりも小さくするよう、前記記憶部に記憶される最大容量を設定するようになっていてもよい。
【００２２】
上記の紙葉類処理機は、前記記憶部に記憶されている情報を表示する表示部を更に備えていてもよい。
【００２３】
この場合、前記記憶部に記憶されている最大容量が変更されたときに、前記記憶部に記憶されている最大容量が変更された旨の情報が前記表示部に表示されるようになっていてもよい。
【００２４】
本発明の紙葉類処理機は、紙葉類が投入されるとともに、投入された紙葉類を機体内に繰り出す繰出機構が設けられた投入部と、前記繰出機構により機体内に繰り出された紙葉類を搬送する搬送部と、前記搬送部により搬送される紙葉類を識別する識別部と、前記識別部により識別された紙葉類を一時的に保留する一時保留部と、前記一時保留部により一時的に保留された紙葉類を収納する収納部と、前記収納部における紙葉類の最大容量を記憶する記憶部と、前記記憶部に記憶されている前記最大容量、前記収納部における紙葉類の収納量および前記一時保留部に一時的に保留されている紙葉類の種別に係る情報に基づいて、前記識別部により識別された紙葉類を前記一時保留部に搬送する動作を選択的に規制するよう前記搬送部の制御を行う制御部と、を備えたことを特徴とする。
【００２５】
このような紙葉類処理機によれば、記憶部に記憶されている最大容量、収納部における紙葉類の収納量および一時保留部に一時的に保留されている紙葉類の種別に係る情報に基づいて、識別部により識別された紙葉類を一時保留部に搬送する動作を選択的に規制することにより、一時保留部に一時的に保留されている紙葉類をリジェクト等させずに確実に収納部に収納させることができる。
【００２６】
上記の紙葉類処理機においては、前記制御部は、前記識別部により識別された紙葉類の種別に対応する前記収納部に当該紙葉類を収納させる際に前記収納部における紙葉類の収納状態が所定の状態となっていると予想される場合には、前記識別部により識別された当該種別の紙葉類を前記一時保留部に搬送しないよう前記搬送部の制御を行うようになっていてもよい。
【００２７】
あるいは、前記制御部は、前記識別部により識別された紙葉類の種別に対応する前記収納部に当該紙葉類を収納させる際に前記収納部における紙葉類の収納状態が所定の状態となっていると予想される場合には、前記一時保留部に紙葉類を搬送しないよう前記搬送部の制御を行うようになっていてもよい。
【００２８】
本発明の紙葉類処理方法は、収納部における紙葉類の最大容量を記憶部に予め記憶させる工程と、投入部に投入された紙葉類を機体内に繰り出す工程と、機体内に繰り出された紙葉類を搬送し、識別部により識別する工程と、前記識別部により識別された紙葉類を前記収納部に収納する工程と、前記識別部により識別された紙葉類の種別に関する情報に基づいて、前記記憶部に記憶されている最大容量を変更する工程と、を備えたことを特徴とする。
【００２９】
このような紙葉類処理方法によれば、識別部により識別された紙葉類の種別に関する情報に基づいて、記憶部に記憶されている最大容量を変更することにより、収納部に収納される紙葉類の種別に応じて当該収納部に収納される最大容量が初期値から変更されるため、様々な種別の紙葉類の入金処理を行うことができ、また、収納部で紙葉類があふれる等のトラブルが生じることを防止することができる。
【００３０】
本発明の紙葉類処理方法は、収納部における紙葉類の最大容量を記憶部に予め記憶させる工程と、投入部に投入された紙葉類を機体内に繰り出す工程と、機体内に繰り出された紙葉類を搬送し、識別部により識別する工程と、前記識別部により識別された紙葉類を一時保留部に一時的に保留する工程と、前記一時保留部により一時的に保留された紙葉類を収納部に収納する工程と、を備え、前記記憶部に記憶されている前記最大容量、前記収納部における紙葉類の収納量および前記一時保留部に一時的に保留されている紙葉類の種別に係る情報に基づいて、前記識別部により識別された紙葉類を前記一時保留部に搬送する動作を選択的に規制することを特徴とする。
【００３１】
このような紙葉類処理方法によれば、記憶部に記憶されている最大容量、収納部における紙葉類の収納量および一時保留部に一時的に保留されている紙葉類の種別に係る情報に基づいて、識別部により識別された紙葉類を一時保留部に搬送する動作を選択的に規制することにより、一時保留部に一時的に保留されている紙葉類をリジェクト等させずに確実に収納部に収納させることができる。
【発明の効果】
【００３２】
本発明の紙葉類処理機および紙葉類処理方法によれば、収納部に収納される紙葉類の種別に応じて当該収納部に収納される最大容量が初期値から変更されるため、様々な種別の紙葉類の入金処理を行うことができ、また、収納部で紙葉類があふれる等のトラブルが生じることを防止することができる。
【００３３】
本発明の他の紙葉類処理機および紙葉類処理方法によれば、一時保留部に一時的に保留されている紙葉類をリジェクト等させずに確実に収納部に収納させることができる。
【図面の簡単な説明】
【００３４】
【図１】本発明の実施の形態による紙幣処理機の構成の一例を示す概略構成図である。
【図２】図１に示す紙幣処理機の制御系の構成を示す機能ブロック図である。
【図３】図１に示す紙幣処理機により処理されるハイブリッド紙幣の構成を示す説明図である。
【図４】図１に示す紙幣処理機の識別部によるハイブリッド紙幣のポリマーフィルム部分の幅方向における位置の検知方法を示す説明図である。
【図５】図１に示す紙幣処理機により紙幣の入金処理を行う際の動作の一例を示すフローチャートである。
【図６】図１に示す紙幣処理機において紙幣収納庫に収納されているハイブリッド紙幣の割合やハイブリッド紙幣以外の紙幣の割合と当該紙幣収納庫における紙幣の最大容量との関係を示す表である。
【図７】変形例に係る紙幣処理機の構成を示す概略構成図である。
【図８】別の変形例に係る紙幣処理機の制御系の構成を示す機能ブロック図である。
【図９】図１に示す紙幣処理機により紙幣の入金処理を行う際の動作の他の例を示すフローチャートである。
【発明を実施するための形態】
【００３５】
以下、図面を参照して本発明の実施の形態について説明する。図１乃至図６は、本実施の形態に係る紙幣処理機およびこのような紙幣処理機による紙幣処理方法を示す図である。このうち、図１は、本実施の形態による紙幣処理機の構成の一例を示す概略構成図であり、図２は、図１に示す紙幣処理機の制御系の構成を示す機能ブロック図である。また、図３は、図１に示す紙幣処理機により処理されるハイブリッド紙幣の構成を示す説明図であり、図４は、図１に示す紙幣処理機の識別部によるハイブリッド紙幣のポリマーフィルム部分の幅方向における位置の検知方法を示す説明図である。また、図５は、図１に示す紙幣処理機により紙幣の入金処理を行う際の動作の一例を示すフローチャートである。また、図６は、図１に示す紙幣処理機において紙幣収納庫に収納されているハイブリッド紙幣の割合やハイブリッド紙幣以外の紙幣の割合と当該紙幣収納庫における紙幣の最大容量との関係を示す表である。
【００３６】
図１に示すように、本実施の形態による紙幣処理機１０は、略直方体形状の筐体１１と、筐体１１の外部から内部に紙幣を投入するための投入部１２と、筐体１１の内部から外部に紙幣を投出するための投出部１４を備えている。また、紙幣処理機１０の筐体１１内には、紙幣を１枚ずつ搬送する搬送部１６が設けられている。投入部１２は、操作者により紙幣の束が投入されるホッパ等からなり、当該投入部１２には、投入された紙幣を１枚ずつ筐体１１の内部に繰り出して搬送部１６に送る紙幣繰出機構１２ａが設けられている。このような構成により、投入部１２に投入された紙幣は紙幣繰出機構１２ａにより筐体１１の内部に１枚ずつ繰り出されて搬送部１６に送られた後、当該搬送部１６により筐体１１内で１枚ずつ搬送されるようになる。本実施の形態では、投入部１２には紙幣の束が短手方向に沿って投入されるようになっており、搬送部１６は、紙幣をその短手方向に沿って搬送するようになっている。
【００３７】
また、搬送部１６には識別部１８が設けられており、この識別部１８によって、搬送部１６により搬送される紙幣の金種、真偽、表裏、正損、新旧、搬送状態等の識別が行われるようになっている。また、搬送部１６には一時保留部２０が接続されており、識別部１８により識別が行われた紙幣は搬送部１６により一時保留部２０に送られ、当該一時保留部２０において一時的に保留されるようになっている。ここで、本実施の形態では、一時保留部２０として、帯状のテープによって紙幣をドラム等の回転体の外周面に巻き付けることにより当該回転体に紙幣を収納するテープ式のものが用いられるようになっている。
【００３８】
また、図１に示すように、紙幣処理機１０の筐体１１内において複数（図１に示す例では４つ）の紙幣収納庫３０が並列に設けられており、各紙幣収納庫３０はそれぞれ搬送部１６に接続されている。各紙幣収納庫３０には複数の紙幣が積層状態で集積されるようになっている。また、各紙幣収納庫３０には紙幣が金種毎に収納されるようになっている。このような構成により、識別部１８による紙幣の識別結果に基づいて、一時保留部２０に一時的に保留されている紙幣が当該一時保留部２０から搬送部１６に繰り出されてこの搬送部１６により各紙幣収納庫３０に金種毎に送られるようになる。また、各紙幣収納庫３０には、当該紙幣収納庫３０に収納されている紙幣を１枚ずつ搬送部１６に繰り出すための紙幣繰出機構３２が設けられている。
【００３９】
また、図１に示すように、紙幣処理機１０の筐体１１内には紙幣収納カセット４０が着脱自在に装着されるようになっている。ここで、紙幣収納カセット４０には複数の紙幣が積層状態で集積されるようになっている。また、筐体１１内に紙幣収納カセット４０が装着されたときに、搬送部１６により当該紙幣収納カセット４０に紙幣が送られるようになっている。紙幣収納カセット４０に紙幣が収納された後、この紙幣収納カセット４０を筐体１１から取り出すことにより、操作者は紙幣処理機１０から紙幣を紙幣収納カセット４０ごと回収することができるようになる。また、紙幣収納カセット４０には、当該紙幣収納カセット４０が筐体１１内に装着されたときにこの紙幣収納カセット４０に収納されている紙幣を１枚ずつ搬送部１６に繰り出すための紙幣繰出機構４２が設けられている。このような構成により、紙幣が収納されている紙幣収納カセット４０を筐体１１内に装着することによって当該紙幣収納カセット４０から各紙幣収納庫３０に紙幣を補充することができるようになる。
【００４０】
また、図２に示すように、本実施の形態の紙幣処理機１０には、当該紙幣処理機１０の各構成部材の制御を行う制御部５０が設けられている。より詳細には、制御部５０には、投入部１２に設けられた紙幣繰出機構１２ａ、搬送部１６、識別部１８、一時保留部２０、各紙幣収納庫３０に設けられた紙幣繰出機構３２、筐体１１内に装着された紙幣収納カセット４０に設けられた紙幣繰出機構４２等がそれぞれ接続されている。そして、識別部１８による紙幣の識別結果に係る信号が制御部５０に送られるとともに、制御部５０は紙幣処理機１０の各構成部材に指令信号を送ることによりこれらの構成部材の動作を制御するようになっている。
【００４１】
また、図２に示すように、制御部５０には操作表示部５２、記憶部５４および通信インターフェース部５６がそれぞれ接続されている。操作表示部５２は例えば筐体１１の上面に設けられたタッチパネル等からなり、紙幣処理機１０における紙幣の入金処理等の処理状況や、各紙幣収納庫３０や紙幣収納カセット４０に収納されている紙幣の在高等に関する情報が操作表示部５２に表示されるようになっている。また、操作者は操作表示部５２を操作することにより制御部５０に対して様々な指令を与えることができるようになっている。
【００４２】
記憶部５４は例えば筐体１１の内部に設けられたメモリ等からなり、当該記憶部５４には、紙幣処理機１０における紙幣の入金処理等の処理履歴や、各紙幣収納庫３０や紙幣収納カセット４０に収納されている紙幣の在高等に関する情報が記憶されるようになっている。また、記憶部５４には、各紙幣収納庫３０における紙幣の最大容量や、筐体１１内に装着された紙幣収納カセット４０における紙幣の最大容量が記憶されるようになっている。ここで、後述するように、制御部５０は、各紙幣収納庫３０や紙幣収納カセット４０における紙幣の収納量が記憶部５４に記憶されている最大容量を超えないように搬送部１６の制御を行うようになっている。すなわち、制御部５０は、紙幣の収納量が記憶部５４に記憶されている最大容量に達した各紙幣収納庫３０や紙幣収納カセット４０に紙幣を送らないように搬送部１６の制御を行うようになっている。あるいは、制御部５０は、紙幣の収納量が記憶部５４に記憶されている最大容量に達する直前に各紙幣収納庫３０や紙幣収納カセット４０に紙幣を送らないように搬送部１６の制御を行うようになっていてもよい。また、制御部５０は通信インターフェース部５６を介して本実施の形態による紙幣処理機１０とは別に設けられた外部装置（具体的には、例えば上位端末）に対して信号の送受信を行うことができるようになっている。
【００４３】
また、図２に示すように、本実施の形態による紙幣処理機１０では、記憶部５４に記憶されている各紙幣収納庫３０や紙幣収納カセット４０の最大容量を変更する最大容量変更手段５８が制御部５０に接続されている。最大容量変更手段５８は、識別部１８により識別された紙幣の種別に関する情報に基づいて、記憶部５４に記憶されている各紙幣収納庫３０や紙幣収納カセット４０の最大容量を変更するようになっている。このような最大容量変更手段５８による、記憶部５４に記憶されている各紙幣収納庫３０や紙幣収納カセット４０の最大容量の変更方法の詳細については後述する。
【００４４】
また、本実施の形態の紙幣処理機１０は、紙のみから構成される通常の紙幣に加えて、紙とポリマーフィルムとを組み合わせたようなハイブリッド紙幣の処理を行うことができるようになっている。このようなハイブリッド紙幣の構成について図３を用いて説明する。図３に示すように、ハイブリッド紙幣（図３において参照符号Ｐで表示）は、紙幣の短手方向に沿って直線状に延びるポリマーフィルム部分Ｐ２を一対の紙部分Ｐ１により挟むことにより形成されている。一部の国や地域ではこのようなハイブリッド紙幣も正常な紙幣であるとみなされるため、識別部１８により紙幣の識別が行われる際に図３に示すようなハイブリッド紙幣が識別された場合にこのようなハイブリッド紙幣は正常な紙幣であると制御部５０において判断されるようになる。
【００４５】
また、識別部１８によりハイブリッド紙幣の識別が行われたときに、当該識別部１８によりハイブリッド紙幣のポリマーフィルム部分Ｐ２の幅方向における位置が検知されるようになっている。このような識別部１８によるハイブリッド紙幣のポリマーフィルム部分Ｐ２の幅方向における位置の検知方法について図４を用いて説明する。図４は、識別部１８によるハイブリッド紙幣のポリマーフィルム部分Ｐ２の幅方向における位置の検知方法を示す説明図である。図４に示すように、識別部１８において紙幣が識別される際に、当該紙幣の幅方向において検知領域ａ０〜ａ７が複数（例えば、８つ）に分割されており、各検知領域ａ０〜ａ７においてポリマーフィルム部分Ｐ２が存在するか否かが検知されるようになっている。ここで、各検知領域ａ０〜ａ７のうち検知領域ａ０〜ａ２は紙幣の幅方向における左側の領域とされ、検知領域ａ３、ａ４は紙幣の幅方向における中央の領域とされ、検知領域ａ５〜ａ７は紙幣の幅方向における右側の領域とされる。そして、識別部１８により識別されたハイブリッド紙幣のポリマーフィルム部分Ｐ２が図４に示すような位置にある場合には、検知領域ａ６にポリマーフィルム部分Ｐ２が存在することが検知され、よって紙幣の幅方向における右側にポリマーフィルム部分Ｐ２が存在することが検知される。
【００４６】
なお、このようなハイブリッド紙幣におけるポリマーフィルム部分Ｐ２またはポリマーフィルム部分Ｐ２を貼り付けた部分は紙部分Ｐ１よりもコシが強く、また、ポリマーフィルム部分Ｐ２またはポリマーフィルム部分Ｐ２を貼り付けた部分の厚さは紙部分Ｐ１の厚さよりも大きくなっている。このため、従来では、テープ式やスタッカ式の収納部におけるハイブリッド紙幣の収納量は従来の紙のみからなる紙幣の収納量よりも少なくなってしまうという問題がある。よって、従来の紙幣処理機において収納部における紙幣の最大容量（具体的には、従来の紙のみからなる紙幣の最大容量）が設定されている場合には、従来の紙のみからなる紙幣と同じ量のハイブリッド紙幣を収納部に収納させることができず、多くの量のハイブリッド紙幣を収納部に収納させようとすると当該収納部において紙幣があふれる等のトラブルが生じるおそれがあった。
【００４７】
これに対して、本実施の形態による紙幣処理機１０では、上述したように、識別部１８は、搬送部１６により搬送される紙幣がハイブリッド紙幣であるか否かを判別するようになっており、最大容量変更手段５８は、このような識別部１８による判別結果に基づいて、記憶部５４に記憶されている各紙幣収納庫３０や紙幣収納カセット４０の最大容量を変更するようになっている。具体的には、最大容量変更手段５８は、各々の紙幣収納庫３０や紙幣収納カセット４０について、紙幣収納庫３０や紙幣収納カセット４０に収納されるハイブリッド紙幣の収納量とハイブリッド紙幣ではない紙幣（すなわち、従来の紙のみからなる紙幣）との割合に基づいて、記憶部５４に記憶されている最大容量を変更するようになっている。このような最大容量変更手段５８による各紙幣収納庫３０や紙幣収納カセット４０の最大容量の変更方法について図６に示す表を用いて説明する。
【００４８】
本実施の形態による紙幣処理機１０を店舗等に設置する時に、初期設定として各紙幣収納庫３０の最大容量が例えば５００枚であるという情報（すなわち、最大容量の初期値）が記憶部５４に記憶されている。そして、図６の表に示すように、紙幣処理機１０において紙幣の入金処理が行われる際に、紙幣収納庫３０に収納されているハイブリッド紙幣の割合が増加すると、記憶部５４に記憶されている当該紙幣収納庫３０の最大容量が減少するようになる。ここで、紙幣処理機１０において紙幣の入金処理が行われる際に、識別部１８は、搬送部１６により搬送される紙幣がハイブリッド紙幣であるか否かを判別するようになっており、紙幣収納庫３０に収納されるハイブリッド紙幣の割合は、識別部１８による判別結果に基づいて算出されるようになっている。そして、図６の表に示すように、紙幣収納庫３０に収納されているハイブリッド紙幣の割合が例えば１０％毎に増加する度に、記憶部５４に記憶されている当該紙幣収納庫３０の最大容量が例えば３０枚ずつ減少するようになる。このことにより、紙幣収納庫３０に収納されているハイブリッド紙幣の割合が例えば５０％を超えると、記憶部５４に記憶されている当該紙幣収納庫３０の最大容量が３５０枚まで減少し、さらに、紙幣収納庫３０に収納されているハイブリッド紙幣の割合が例えば１００％である場合には、記憶部５４に記憶されている当該紙幣収納庫３０の最大容量が２００枚まで減少する。このように、紙幣処理機１０において紙幣の入金処理が行われる際に、紙幣収納庫３０に収納されているハイブリッド紙幣の割合が増加すると、記憶部５４に記憶されている当該紙幣収納庫３０の最大容量を減少させることにより、紙幣収納庫３０にハイブリッド紙幣が収納されない場合には当該紙幣収納庫３０の最大容量を比較的大きくすることができるとともに、紙幣収納庫３０に収納されているハイブリッド紙幣の割合が増えても当該紙幣収納庫３０において紙幣があふれる等のトラブルが生じてしまうことを抑制することができるようになる。
【００４９】
なお、最大容量変更手段５８による各紙幣収納庫３０や紙幣収納カセット４０の最大容量の変更方法は上記の方法に限定されることはなく、他の様々な方法を用いることができる。例えば、本実施の形態による紙幣処理機１０を店舗等に設置する時に、初期設定として各紙幣収納庫３０の最大容量が例えば３５０枚であるという情報（すなわち、最大容量の初期値）が記憶部５４に記憶されており、ある紙幣収納庫３０における紙幣の収納量が記憶部５４に記憶されている最大容量（すなわち、３５０枚）に達したときに、当該紙幣収納庫３０に収納されているハイブリッド紙幣の枚数が所定の枚数（例えば、２０枚）以下である場合には、最大容量変更手段５８はこの紙幣収納庫３０の最大容量を例えば４５０枚に増やすようになっていてもよい。そして、この紙幣収納庫３０における紙幣の収納量が記憶部５４に記憶されている変更後の最大容量（すなわち、４５０枚）に達したときに、当該紙幣収納庫３０に収納されているハイブリッド紙幣の枚数が別の所定の枚数（例えば、１０枚）以下である場合には、最大容量変更手段５８はこの紙幣収納庫３０の最大容量を４５０枚から更に増やす（例えば、最大容量を５００枚とする）ようになっていてもよい。このような最大容量変更手段５８による各紙幣収納庫３０や紙幣収納カセット４０の最大容量の変更方法も、各紙幣収納庫３０や紙幣収納カセット４０に収納されるハイブリッド紙幣の収納量とハイブリッド紙幣ではない紙幣（すなわち、従来の紙のみからなる紙幣）との割合に基づいて記憶部５４に記憶されている最大容量が最大容量変更手段５８により変更される一態様といえる。
【００５０】
また、記憶部５４に記憶されている各紙幣収納庫３０や紙幣収納カセット４０の最大容量を最大容量変更手段５８により変更するにあたり、図６に示すような表が用いられる代わりに、各紙幣収納庫３０や紙幣収納カセット４０に収納されるハイブリッド紙幣の収納量とハイブリッド紙幣ではない紙幣の収納量との割合と、各紙幣収納庫３０や紙幣収納カセット４０の最大容量との関係を示す関係式が記憶部５４に記憶されており、この関係式を用いて最大容量変更手段５８が各紙幣収納庫３０や紙幣収納カセット４０の最大容量を変更するようになっていてもよい。
【００５１】
また、最大容量変更手段５８は、各紙幣収納庫３０や紙幣収納カセット４０に収納されているハイブリッド紙幣の収納量とハイブリッド紙幣ではない紙幣（すなわち、従来の紙のみからなる紙幣）の収納量との差に基づいて、記憶部５４に記憶されている各紙幣収納庫３０や紙幣収納カセット４０の最大容量を変更するようになっていてもよい。例えば、本実施の形態による紙幣処理機１０を店舗等に設置する時に、初期設定として各紙幣収納庫３０の最大容量が例えば３５０枚であるという情報（すなわち、最大容量の初期値）が記憶部５４に記憶されており、紙幣収納庫３０に収納されているハイブリッド紙幣ではない紙幣の収納量からハイブリッド紙幣の収納量を差し引いた差が０以上の所定の枚数（例えば、５０枚）の倍数に達する度に、記憶部５４に記憶されている当該紙幣収納庫３０の最大容量が所定の枚数（例えば、１５枚）ずつ最大容量変更手段５８により増大させられるようになっていてもよい。また、紙幣収納庫３０に収納されているハイブリッド紙幣ではない紙幣の収納量からハイブリッド紙幣の収納量を差し引いた差が０以下の所定の枚数（例えば、２０枚）の倍数に達する度に、記憶部５４に記憶されている当該紙幣収納庫３０の最大容量が所定の枚数（例えば、１５枚）ずつ最大容量変更手段５８により減少させられるようになっていてもよい。
【００５２】
また、最大容量変更手段５８は、各紙幣収納庫３０や紙幣収納カセット４０に収納されているハイブリッド紙幣の収納量に基づいて、記憶部５４に記憶されている各紙幣収納庫３０や紙幣収納カセット４０の最大容量を変更するようになっていてもよい。例えば、本実施の形態による紙幣処理機１０を店舗等に設置する時に、初期設定として各紙幣収納庫３０の最大容量が例えば５００枚であるという情報（すなわち、最大容量の初期値）が記憶部５４に記憶されており、紙幣収納庫３０に収納されているハイブリッド紙幣の収納量が所定の枚数（例えば、１０枚）の倍数に達する度に、記憶部５４に記憶されている当該紙幣収納庫３０の最大容量が所定の枚数（例えば、３０枚）ずつ最大容量変更手段５８により減少させられるようになっていてもよい。また、他の例として、最大容量変更手段５８は、各紙幣収納庫３０や紙幣収納カセット４０に収納されているハイブリッド紙幣の収納量が予め設定された所定量に達したときに、記憶部５４に記憶されている各紙幣収納庫３０や紙幣収納カセット４０の最大容量を変更する（具体的には、最大容量を減少させる）ようになっていてもよい。なお、予め設定された所定量が例えば１枚であってもよく、この場合には、例えばある紙幣収納庫３０にハイブリッド紙幣が１枚でも収納されると最大容量変更手段５８はこの紙幣収納庫３０の最大容量を減少させるようになる。また、予め設定された所定量は１枚に限定されることはなく、当該所定量が例えば１００枚や２００枚であってもよい。
【００５３】
次に、このような構成からなる紙幣処理機１０において紙幣の入金処理が行われる際の動作について図５に示すフローチャートを用いて説明する。なお、以下に示すような紙幣処理機１０の動作は、制御部５０が紙幣処理機１０の各構成部材を制御することにより行われるようになっている。
【００５４】
紙幣処理機１０において紙幣の入金処理を行うにあたり、操作者が投入部１２に紙幣の束を投入した後、操作表示部５２により入金処理開始の指令を制御部５０に与えると、投入部１２に投入された紙幣は紙幣繰出機構１２ａにより１枚ずつ筐体１１内に繰り出され、搬送部１６により１枚ずつ搬送されるようになる（ＳＴＥＰ１）。そして、搬送部１６により搬送される紙幣は識別部１８によりその金種、真偽、表裏、正損、新旧、搬送状態等が識別される（ＳＴＥＰ２）。また、この際に、搬送部１６により搬送される紙幣がハイブリッド紙幣であるか否かが識別部１８により判別される。そして、識別部１８により正常な紙幣ではないと識別された紙幣、すなわちリジェクト紙幣は搬送部１６により投出部１４に送られ、当該投出部１４に集積される（ＳＴＥＰ３の「ＮＯ」およびＳＴＥＰ５）。このことにより、操作者は投出部１４に集積されたリジェクト紙幣を筐体１１から手動で取り出し、投入部１２に再び載置することができるようになる。一方、識別部１８により正常な紙幣であると識別された紙幣は搬送部１６により一時保留部２０に送られ、この一時保留部２０で一時的に保留される（ＳＴＥＰ３の「ＹＥＳ」およびＳＴＥＰ４）。
【００５５】
上述したＳＴＥＰ１〜ＳＴＥＰ５に示す動作は、投入部１２に投入された紙幣が全て筐体１１内に繰り出されて一時保留部２０または投出部１４に送られるまで繰り返し行われる（ＳＴＥＰ６の「ＮＯ」）。そして、投入部１２に投入された紙幣が全て筐体１１内に繰り出されて一時保留部２０または投出部１４に送られると（ＳＴＥＰ６の「ＹＥＳ」）、入金確定の承認を操作者に求めるメッセージが操作表示部５２に表示される。その後、操作者が操作表示部５２により入金確定の指令を制御部５０に与えると（ＳＴＥＰ７の「ＹＥＳ」）、一時保留部２０から紙幣が１枚ずつ搬送部１６に繰り出される（ＳＴＥＰ８）。そして、一時保留部２０から搬送部１６に繰り出された紙幣が送られるべき紙幣収納庫３０（具体的には、一時保留部２０から搬送部１６に繰り出された紙幣の金種に対応する紙幣収納庫３０）における紙幣の収納量が記憶部５４に記憶されている最大容量に達していない場合には（ＳＴＥＰ９の「ＮＯ」）、すなわち、一時保留部２０から搬送部１６に繰り出された紙幣の金種に対応する紙幣収納庫３０に空きがある場合には、搬送部１６により当該紙幣収納庫３０に紙幣が送られてこの紙幣収納庫３０に収納される（ＳＴＥＰ１０）。また、紙幣収納庫３０に紙幣が収納される度に、この紙幣収納庫３０に収納されている紙幣の種別（具体的には、紙幣収納庫３０に収納されている各紙幣がハイブリッド紙幣であるか否かという情報）に基づいて、最大容量変更手段５８によりこの紙幣収納庫３０の最大容量が変更される（ＳＴＥＰ１１）。最大容量変更手段５８による紙幣収納庫３０の最大容量の変更方法は上述した通りである。また、一時保留部２０から搬送部１６に繰り出された紙幣が送られるべき紙幣収納庫３０における紙幣の収納量が記憶部５４に記憶されている最大容量に達している場合には（ＳＴＥＰ９の「ＹＥＳ」）、すなわち、一時保留部２０から搬送部１６に繰り出された紙幣の金種に対応する紙幣収納庫３０に空きがない場合には、この紙幣は搬送部１６により当該紙幣収納庫３０以外の箇所（例えば、紙幣収納カセット４０や投出部１４）に送られる（ＳＴＥＰ１２）。そして、一時保留部２０に一時的に保留されている紙幣がこの一時保留部２０から全て繰り出され、各紙幣収納庫３０等に収納されると（ＳＴＥＰ１３の「ＹＥＳ」）、紙幣処理機１０における紙幣の一連の入金処理が完了する。
【００５６】
なお、上記のＳＴＥＰ８〜ＳＴＥＰ１０に係る動作において、一時保留部２０から紙幣が１枚ずつ搬送部１６に繰り出された後、当該紙幣が各紙幣収納庫３０のみならず紙幣収納カセット４０にも収納されるようになっていてもよい。具体的には、一時保留部２０から搬送部１６に繰り出された紙幣の金種が所定の金種である場合には、当該紙幣は搬送部１６により紙幣収納カセット４０に送られて当該紙幣収納カセット４０に収納されるようになっていてもよい。この場合には、紙幣収納カセット４０における紙幣の収納量が記憶部５４に記憶されている最大容量に達していない場合にのみ、すなわち、紙幣収納カセット４０に空きがある場合においてのみ、搬送部１６により当該紙幣収納カセット４０に紙幣が送られてこの紙幣収納カセット４０に収納されるようになる。また、紙幣収納カセット４０に紙幣が収納される度に、この紙幣収納カセット４０に収納されている紙幣の種別（具体的には、紙幣収納カセット４０に収納されている各紙幣がハイブリッド紙幣であるか否かという情報）に基づいて、最大容量変更手段５８によりこの紙幣収納カセット４０の最大容量が変更される。
【００５７】
また、紙幣処理機１０において紙幣の入金処理が行われている最中に、操作表示部５２には、記憶部５４に記憶されている各紙幣収納庫３０や紙幣収納カセット４０の最大容量が表示されるようになっていてもよい。この場合には、記憶部５４に記憶されている各紙幣収納庫３０や紙幣収納カセット４０の最大容量が最大容量変更手段５８により変更されたときに、最大容量が変更された旨のメッセージ等が操作表示部５２にポップアップ表示されるようになっていてもよい。
【００５８】
また、投入部１２に投入された紙幣が全て筐体１１内に繰り出されて一時保留部２０または投出部１４に送られた後（ＳＴＥＰ６の「ＹＥＳ」）、操作者が操作表示部５２により入金確定の指令を制御部５０に与えるかわりに返却の指令を制御部５０に与えると（ＳＴＥＰ７の「ＮＯ」およびＳＴＥＰ１４の「ＹＥＳ」）、一時保留部２０から紙幣が１枚ずつ搬送部１６に繰り出され、当該搬送部１６により投出部１４に紙幣が送られるようになる（ＳＴＥＰ１５）。このことにより操作者は投出部１４から返却紙幣を筐体１１の外部に取り出すことができるようになる。
【００５９】
なお、本実施の形態では、識別部１８により識別された紙幣がハイブリッド紙幣であるか否かという情報、すなわち各紙幣収納庫３０や紙幣収納カセット４０に収納されている各紙幣がハイブリッド紙幣であるか否かという情報に基づいて、記憶部５４に記憶されている各紙幣収納庫３０や紙幣収納カセット４０の最大容量を最大容量変更手段５８が変更するような態様に限定されることはない。最大容量変更手段５８は、識別部１８により識別された紙幣がハイブリッド紙幣であるか否かという情報以外の紙幣の種別に関する情報に基づいて、記憶部５４に記憶されている各紙幣収納庫３０や紙幣収納カセット４０の最大容量を変更するようになっていてもよい。例えば、識別部１８により識別された紙幣が損券であるか否かという情報や、識別部１８により識別された紙幣が旧券であるか否かという情報等に基づいて、記憶部５４に記憶されている各紙幣収納庫３０や紙幣収納カセット４０の最大容量が最大容量変更手段５８により変更されるようになっていてもよい。具体的には、各紙幣収納庫３０や紙幣収納カセット４０に収納されている損券や旧券の割合や収納量が増えると、最大容量変更手段５８によって各紙幣収納庫３０や紙幣収納カセット４０の最大容量が減少されるようになる。各紙幣収納庫３０や紙幣収納カセット４０に損券や旧券を収納させる場合には、このような損券や旧券はしわ等が生じていることにより集積方向において嵩張ってしまうため、正券や新券に比べて各紙幣収納庫３０や紙幣収納カセット４０に収納できる量が少なくなってしまうからである。
【００６０】
以上のような構成からなる本実施の形態の紙幣処理機１０やこのような紙幣処理機１０による紙幣処理方法によれば、記憶部５４には、各紙幣収納庫３０や紙幣収納カセット４０における紙幣の最大容量が記憶されるようになっており、最大容量変更手段５８は、識別部１８により識別された紙幣の種別に関する情報に基づいて、記憶部５４に記憶されている最大容量を変更するようになっている。この場合には、各紙幣収納庫３０や紙幣収納カセット４０に収納される紙幣の種別に応じてこれらの各紙幣収納庫３０や紙幣収納カセット４０に収納される最大容量が初期値から変更されるため、様々な種別の紙幣の入金処理を行うことができ、また、各紙幣収納庫３０や紙幣収納カセット４０で紙幣があふれる等のトラブルが生じることを防止することができる。
【００６１】
なお、一時保留部２０における紙幣の最大容量も記憶部５４に記憶されており、最大容量変更手段５８は、識別部１８により識別された紙幣の種別に関する情報に基づいて、記憶部５４に記憶されている一時保留部２０の最大容量を変更するようになっていてもよい。この場合には、一時保留部２０に収納される紙幣の種別に応じて当該一時保留部２０に収納される最大容量が初期値から変更されるため、様々な種別の紙幣の入金処理を行うことができ、また、一時保留部２０で紙幣があふれる等のトラブルが生じることを防止することができる。
【００６２】
また、本実施の形態の紙幣処理機１０においては、上述したように、制御部５０は、各紙幣収納庫３０や紙幣収納カセット４０における紙幣の収納量が記憶部５４に記憶されている最大容量を超えないように搬送部１６の制御を行うようになっている。
【００６３】
また、本実施の形態の紙幣処理機１０においては、上述したように、識別部１８は、搬送部１６により搬送される紙幣が特定種別の紙幣であるか否かを判別するようになっており、最大容量変更手段５８は、各紙幣収納庫３０や紙幣収納カセット４０に収納される特定種別の紙幣の収納量と、特定種別ではない紙幣の収納量との割合に基づいて、記憶部５４に記憶されている最大容量を変更するようになっている。例えば、識別部１８は、搬送部１６により搬送される紙幣に含まれる所定の特徴部分（具体的には、例えばポリマーフィルム部分Ｐ２）を検知したときに当該紙幣（すなわち、ハイブリッド紙幣）を特定種別の紙幣であると判別するようになっている。なお、本実施の形態による紙幣処理機１０では、特定種別の紙幣は必ずしもハイブリッド紙幣に限定されることはなく、特定種別の紙幣として損券や旧券等が予め設定されていてもよい。
【００６４】
また、本実施の形態の紙幣処理機１０においては、上述したように、最大容量変更手段５８は、各紙幣収納庫３０や紙幣収納カセット４０に収納される特定種別の紙幣の収納量と、特定種別ではない紙幣の収納量との差に基づいて、記憶部５４に記憶されている最大容量を変更するようになっていてもよい。また、別の例では、最大容量変更手段５８は、各紙幣収納庫３０や紙幣収納カセット４０に収納される特定種別の紙幣の収納量に基づいて、記憶部５４に記憶されている最大容量を変更するようになっていてもよい。この際に、最大容量変更手段５８は、各紙幣収納庫３０や紙幣収納カセット４０に収納される特定種別の紙幣の収納量が予め設定された所定量に達したときに、記憶部５４に記憶されている最大容量を変更するようになっていてもよい。
【００６５】
また、本実施の形態の紙幣処理機１０においては、上述したように、記憶部５４に記憶されている情報（例えば、各紙幣収納庫３０や紙幣収納カセット４０における紙幣の最大容量）を表示する操作表示部５２が設けられていてもよい。この場合には、記憶部５４に記憶されている最大容量が変更されたときに、記憶部５４に記憶されている最大容量が変更された旨の情報が操作表示部５２に表示されるようになっていてもよい。
【００６６】
なお、本実施の形態による紙幣処理機１０やこのような紙幣処理機１０による紙幣処理方法は、上述したような態様に限定されることはなく、様々な変更を加えることができる。
【００６７】
例えば、本実施の形態の紙幣処理機１０では、紙幣の入金処理が行われる際に、投入部１２により筐体１１の内部に投入された紙幣を一時保留部２０で一時的に保留した後に各紙幣収納庫３０に金種毎に送って当該紙幣収納庫３０に収納させる代わりに、投入部１２により筐体１１の内部に投入された紙幣を直接的に（すなわち、一時保留部２０で一時的に保留することなく）各紙幣収納庫３０に金種毎に送って当該紙幣収納庫３０に収納させるようにしてもよい。
【００６８】
また、変形例に係る紙幣処理機１０において、識別部１８は、搬送部１６により搬送される紙幣の表裏の向きや短手方向の向きも検知するようになっており、当該識別部１８は、搬送部１６により搬送される紙幣に含まれる所定の特徴部分（具体的には、ポリマーフィルム部分Ｐ２）を検知するとともに紙幣の表裏の向きや短手方向の向きが所定の向きであることを検知したときにのみ当該紙幣を特定種別の紙幣であると判別するようになっていてもよい。図３に示すように、ハイブリッド紙幣については、紙幣の短手方向に沿って直線状に延びるポリマーフィルム部分Ｐ２が、紙幣の長手方向における中央位置ではなく中央位置から左右に偏った位置に設けられているため、紙幣の表裏の向きや短手方向の向きが所定の向きであるようなハイブリッド紙幣が各紙幣収納庫３０や紙幣収納カセット４０に複数集積されたときに当該ハイブリッド紙幣が集積方向に嵩張るようになる。言い換えると、紙幣の表裏の向きや短手方向の向きが所定の向きではないようなハイブリッド紙幣が各紙幣収納庫３０や紙幣収納カセット４０に収納された場合には、このハイブリッド紙幣におけるポリマーフィルム部分Ｐ２の長手方向における位置が、紙幣の表裏の向きや短手方向の向きが所定の向きであるハイブリッド紙幣におけるポリマーフィルム部分Ｐ２の長手方向における位置と異なるようになる。このことにより、紙幣の表裏の向きや短手方向の向きが所定の向きではないようなハイブリッド紙幣が各紙幣収納庫３０や紙幣収納カセット４０に収納されても当該ハイブリッド紙幣は集積方向に大きく嵩張ることはない。このため、紙幣の表裏の向きや短手方向の向きが所定の向きではないようなハイブリッド紙幣については、特定種別の紙幣であると識別部１８により判別しなくてもよい。
【００６９】
また、本実施の形態による紙幣処理機として、図７に示すような構成のものが用いられてもよい。図７に示すような変形例に係る紙幣処理機１０ａでは、紙幣を収納するための収納部として、複数の紙幣が積層状態で集積されるようなスタッカ式の紙幣収納庫３０が設けられる代わりに、帯状のテープにより紙幣をドラムの外周面に巻き付けるようなテープ式の収納繰出部６０が設けられるようになる。具体的には、変形例に係る紙幣処理機１０ａにおいて、図７に示すように、搬送部１６には複数（具体的には、８つ）の収納繰出部６０が接続されており、搬送部１６により各収納繰出部６０に紙幣が金種毎に送られて当該収納繰出部６０に収納されるとともに、収納繰出部６０に収納されている紙幣は当該収納繰出部６０から搬送部１６に１枚ずつ繰り出されるようになっている。
【００７０】
帯状のテープにより紙幣をドラムの外周面に巻き付けるようなテープ式の収納繰出部６０が用いられる場合、当該収納繰出部６０に多くの量のハイブリッド紙幣が収納されると、ハイブリッド紙幣におけるポリマーフィルム部分Ｐ２またはポリマーフィルム部分Ｐ２を貼り付けた部分は紙部分Ｐ１よりもコシが強いため、帯状のテープによりハイブリッド紙幣をドラムの外周面上に巻き取る際に、紙のみにより形成される紙幣を帯状のテープによりドラムの外周面上に巻き取る場合と比較して、テープがハイブリッド紙幣をドラムの外周面上に向かって締め付ける力が弱くなってしまうという問題がある。また、帯状のテープがドラムの軸方向に沿って並ぶよう複数設けられている場合には、複数のテープのうちハイブリッド紙幣のポリマーフィルム部分Ｐ２に近い側のテープによる締付力は、複数のテープのうち当該ポリマーフィルム部分Ｐ２から遠い側のテープによる締付力よりも弱くなってしまう。この場合には、ドラムの外周面に複数のハイブリッド紙幣が巻き取られた際に当該ハイブリッド紙幣のポリマーフィルム部分Ｐ２に近い側のテープの箇所がドラムの外方に膨らんでしまうため、このドラムの軸に対して直交する方向から見て、各テープによりドラムの外周面に巻き取られた複数のハイブリッド紙幣がいわゆる円錐状となってしまい、ドラムに収納されたハイブリッド紙幣の位置が当該ドラムの軸方向にずれてしまうおそれがある。
【００７１】
これに対し、図７に示すような変形例に係る紙幣処理機１０ａでは、図１等に示すような紙幣処理機１０と同様に、記憶部５４には、各収納繰出部６０における紙幣の最大容量が記憶されるようになっており、最大容量変更手段５８は、識別部１８により識別された紙幣の種別に関する情報に基づいて、記憶部５４に記憶されている最大容量を変更するようになっている。この場合には、各収納繰出部６０に収納される紙幣の種別（すなわち、各収納繰出部６０に収納される各紙幣がハイブリッド紙幣であるか否かという情報）に応じて当該収納繰出部６０に収納される最大容量が初期値から変更されるため、様々な種別の紙幣の入金処理を行うことができ、また、各収納繰出部６０で紙幣があふれる等のトラブルが生じることを防止することができる。
【００７２】
より具体的には、図７に示すような変形例に係る紙幣処理機１０ａにおいて、識別部１８は、搬送部１６により搬送される紙幣が特定種別の紙幣（具体的には、例えばハイブリッド紙幣）であるか否かを判別するようになっており、最大容量変更手段５８は、各収納繰出部６０に収納されるハイブリッド紙幣の収納量と、ハイブリッド紙幣ではない紙幣の収納量との割合や両者の収納量の差等に基づいて、記憶部５４に記憶されている最大容量を変更するようになっている。なお、図７に示すような変形例に係る紙幣処理機１０ａでも、特定種別の紙幣は必ずしもハイブリッド紙幣に限定されることはなく、特定種別の紙幣として損券や旧券等が設定されるようになっていてもよい。
【００７３】
また、更なる変形例に係る紙幣処理機において、紙幣収納カセット４０のみならず各紙幣収納庫３０も筐体１１外に取り外し可能となっていてもよい。このような更なる変形例に係る紙幣処理機における制御系の構成について図８を用いて説明する。図８に示すように、更なる変形例に係る紙幣処理機１０ｂでは、筐体１１の内部に設けられた記憶部５４に各紙幣収納庫３０や紙幣収納カセット４０における紙幣の最大容量が記憶される代わりに、各紙幣収納庫３０や紙幣収納カセット４０の各々にメモリ等の記憶部３４、４４が設けられており、当該記憶部３４、４４は、この記憶部３４、４４が設けられた各紙幣収納庫３０や紙幣収納カセット４０における紙幣の最大容量を記憶するようになっている。また、この場合、紙幣処理機１０ｂの筐体１１における各紙幣収納庫３０や紙幣収納カセット４０が装着される箇所には、これらの各紙幣収納庫３０や紙幣収納カセット４０に設けられた記憶部３４、４４に記憶されている情報を読み取る読取部７０が設けられている。
【００７４】
また、各紙幣収納庫３０が筐体１１外に取り外し可能となっているような紙幣処理機１０ｂにおいて、筐体１１内に装着される複数の紙幣収納庫３０のうちハイブリッド紙幣に対応するものおよびハイブリッド紙幣に対応しないものが用いられるようになっていてもよい。この場合には、各紙幣収納庫３０に設けられた記憶部３４には、当該紙幣収納庫３０がハイブリッド紙幣に対応するものであるか否かという情報が記憶されるようになっている。また、ハイブリッド紙幣に対応する紙幣収納庫３０に設けられた記憶部３４に記憶されている最大容量は、ハイブリッド紙幣に対応しない紙幣収納庫３０に設けられた記憶部３４に記憶されている最大容量よりも小さくなっている。具体的には、ハイブリッド紙幣に対応しない紙幣収納庫３０に設けられた記憶部３４に記憶されている最大容量が例えば５００枚であるのに対し、ハイブリッド紙幣に対応する紙幣収納庫３０に設けられた記憶部３４に記憶されている最大容量は例えば４００枚となっている。ハイブリッド紙幣におけるポリマーフィルム部分Ｐ２またはポリマーフィルム部分Ｐ２を貼り付けた部分は紙部分Ｐ１よりもコシが強く、また、ポリマーフィルム部分Ｐ２またはポリマーフィルム部分Ｐ２を貼り付けた部分の厚さは紙部分Ｐ１の厚さよりも大きくなっているため、従来の紙のみからなる紙幣が収納される紙幣収納庫３０と同じ大きさの紙幣収納庫３０にハイブリッド紙幣を収納させる場合には、従来の紙のみからなる紙幣と同じ量のハイブリッド紙幣を紙幣収納庫３０に収納させることができない。このため、ハイブリッド紙幣に対応する紙幣収納庫３０に設けられた記憶部３４に記憶されている最大容量を、ハイブリッド紙幣に対応しない紙幣収納庫３０に設けられた記憶部３４に記憶されている最大容量よりも小さくする必要がある。
【００７５】
また、図８に示すような更なる変形例に係る紙幣処理機１０ｂでは、読取部７０による読取情報に基づいて、筐体１１内に装着される各紙幣収納庫３０がハイブリッド紙幣に対応するものであるか否かという情報が操作表示部５２に表示されるようになっていてもよい。
【００７６】
このような紙幣処理機１０ｂでは、一時保留部２０に一時的に収納されている紙幣を搬送部１６によって各紙幣収納庫３０に金種毎に送る際に、識別部１８によりハイブリッド紙幣であると判別された紙幣はハイブリッド紙幣に対応する紙幣収納庫３０に搬送され、一方、識別部１８によりハイブリッド紙幣ではないと判別された紙幣はハイブリッド紙幣に対応しない紙幣収納庫３０に搬送されるようになっている。ここで、各紙幣収納庫３０の最大容量は、当該紙幣収納庫３０がハイブリッド紙幣に対応するものであるか否かによって異なるようになっているため、紙幣収納庫３０にハイブリッド紙幣およびそれ以外の紙幣が混合状態で収納される場合と比較して、ハイブリッド紙幣に対応しない紙幣収納庫３０における紙幣の収納量を増やすことができ、また、ハイブリッド紙幣に対応する紙幣収納庫３０において紙幣があふれる等のトラブルが生じてしまうことを抑制することができるようになる。
【００７７】
また、各紙幣収納庫３０が筐体１１外に取り外し可能となっているような紙幣処理機１０ｂにおいて、各紙幣収納庫３０や紙幣収納カセット４０における紙幣の最大容量がこれらの各紙幣収納庫３０や紙幣収納カセット４０に設けられた記憶部３４、４４に記憶される代わりに、各紙幣収納庫３０や紙幣収納カセット４０の識別情報が記憶部３４、４４に記憶されるようになっていてもよい。この場合には、記憶部３４、４４は、各紙幣収納庫３０や紙幣収納カセット４０を識別するための識別端子として機能するようになる。ここで、記憶部３４、４４に記憶される各紙幣収納庫３０や紙幣収納カセット４０の識別情報として、これらの各紙幣収納庫３０や紙幣収納カセット４０がハイブリッド紙幣に対応するものであるか否かという情報が含まれるようになっていてもよい。また、紙幣処理機１０ｂには、読取部７０により読み取られた各紙幣収納庫３０や紙幣収納カセット４０の識別情報に基づいて、各紙幣収納庫３０や紙幣収納カセット４０の最大容量を設定して記憶部５４に記憶させる最大容量設定手段５９が設けられている。具体的には、最大容量設定手段５９は、ハイブリッド紙幣に対応する各紙幣収納庫３０の最大容量を、ハイブリッド紙幣に対応しない各紙幣収納庫３０の最大容量よりも小さくするよう、記憶部５４に記憶される最大容量を設定するようになっている。また、このような紙幣処理機１０ｂでは、読取部７０により読み取られた各紙幣収納庫３０や紙幣収納カセット４０の識別情報が操作表示部５２に表示されるようになっていてもよい。
【００７８】
このような紙幣処理機１０ｂでも、一時保留部２０に一時的に収納されている紙幣を搬送部１６によって各紙幣収納庫３０に金種毎に送る際に、識別部１８によりハイブリッド紙幣であると判別された紙幣はハイブリッド紙幣に対応する紙幣収納庫３０に搬送され、一方、識別部１８によりハイブリッド紙幣ではないと判別された紙幣はハイブリッド紙幣に対応しない紙幣収納庫３０に搬送されるようになっている。ここで、最大容量設定手段５９により設定される各紙幣収納庫３０の最大容量は、当該紙幣収納庫３０がハイブリッド紙幣に対応するものであるか否かによって異なるようになっているため、紙幣収納庫３０にハイブリッド紙幣およびそれ以外の紙幣が混合状態で収納される場合と比較して、ハイブリッド紙幣に対応しない紙幣収納庫３０における紙幣の収納量を増やすことができ、また、ハイブリッド紙幣に対応する紙幣収納庫３０において紙幣があふれる等のトラブルが生じてしまうことを抑制することができるようになる。なお、各紙幣収納庫３０や紙幣収納カセット４０を識別するための識別端子として、記憶部３４、４４ではなく、例えばバーコード等が用いられてもよく、あるいは各紙幣収納庫３０や紙幣収納カセット４０の識別番号が各紙幣収納庫３０や紙幣収納カセット４０の外面に直接記載されるようになっていてもよい。ここで、識別端子としてバーコード等が用いられる場合には、読取部７０として例えばバーコードリーダを用いることにより、紙幣処理機１０ｂの制御部５０において各紙幣収納庫３０や紙幣収納カセット４０の識別情報を取得することができるようになる。また、識別端子として各紙幣収納庫３０や紙幣収納カセット４０の外面に直接記載される識別番号が用いられる場合には、読取部７０として例えば撮像カメラを用いることにより、紙幣処理機１０ｂの制御部５０において各紙幣収納庫３０や紙幣収納カセット４０の識別情報を取得することができるようになる。
【００７９】
また、図１に示す紙幣処理機１０により紙幣の入金処理が行われる際の動作は、図５のフローチャートに示されるものに限定されることはない。図１に示す紙幣処理機１０により紙幣の入金処理が行われる際に、図９のフローチャートに示す動作が行われるようになっていてもよい。このような図１に示す紙幣処理機１０により紙幣の入金処理が行われる際に図９のフローチャートに示す動作が行われる態様について以下に述べる。なお、以下に示すような紙幣処理機１０の動作も、制御部５０が紙幣処理機１０の各構成部材を制御することにより行われるようになっている。
【００８０】
紙幣処理機１０において紙幣の入金処理を行うにあたり、操作者が投入部１２に紙幣の束を投入した後、操作表示部５２により入金処理開始の指令を制御部５０に与えると、投入部１２に投入された紙幣は紙幣繰出機構１２ａにより１枚ずつ筐体１１内に繰り出され、搬送部１６により１枚ずつ搬送されるようになる（ＳＴＥＰ２１）。そして、搬送部１６により搬送される紙幣は識別部１８によりその金種、真偽、表裏、正損、新旧、搬送状態等が識別される（ＳＴＥＰ２２）。そして、識別部１８により正常な紙幣ではないと識別された紙幣、すなわちリジェクト紙幣は搬送部１６により投出部１４に送られ、当該投出部１４に集積される（ＳＴＥＰ２３の「ＮＯ」およびＳＴＥＰ２６）。このことにより、操作者は投出部１４に集積されたリジェクト紙幣を筐体１１から手動で取り出し、投入部１２に再び載置することができるようになる。なお、図９のフローチャートに示される動作が行われるような紙幣処理機１０において投出部１４が設けられておらず、代わりに識別部１８により正常な紙幣ではないと識別された紙幣（すなわち、リジェクト紙幣）をリジェクトするためのリジェクト部（図示せず）が設けられていてもよい。この場合には、識別部１８により正常な紙幣ではないと識別された紙幣（すなわち、リジェクト紙幣）は搬送部１６によりリジェクト部に送られ、当該リジェクト部に集積されるようになる。
【００８１】
また、図９のフローチャートに示される動作が行われるような紙幣処理機１０では、制御部５０は、記憶部５４に記憶されている各紙幣収納庫３０の最大容量、各紙幣収納庫３０における紙幣の収納量および一時保留部２０に一時的に保留されている紙幣の種別に係る情報に基づいて、識別部１８により識別された紙幣を一時保留部２０に搬送する動作を選択的に規制するようになっている。具体的には、識別部１８により紙幣が識別された際に、当該紙幣の種別（具体的には、例えば紙幣の金種）に対応する紙幣収納庫３０にこの紙幣を収納させる際に紙幣収納庫３０における紙幣の収納状態が所定の状態（具体的には、満杯状態）となっていると予想される場合には（ＳＴＥＰ２４の「ＹＥＳ」）、当該紙幣は搬送部１６により投出部１４に送られ、この投出部１４に集積される（ＳＴＥＰ２６）。より詳細には、ある紙幣収納庫３０における紙幣の空き容量が例えば１００枚であり、当該紙幣収納庫３０に対応する金種の紙幣が一時保留部２０に既に１００枚保留されている場合には、識別部１８により当該金種の紙幣が識別されたときに、この識別部１８により識別された紙幣は一時保留部２０に送られずに投出部１４に送られるようになる。もし仮に、このような場合に当該金種の紙幣を識別部１８から一時保留部２０に送ったときには、一時保留部２０に一時的に保留される当該金種の紙幣の枚数が１０１枚以上となり、一時保留部２０に一時的に保留されている紙幣を各紙幣収納庫３０に送る際に一時保留部２０から紙幣を全て繰り出される前にこの紙幣収納庫３０が満杯状態となってしまい、識別部１８により識別された紙幣を全て当該紙幣の金種に対応する紙幣収納庫３０に収納することができず、一時保留部２０に一時的に保留されている複数の紙幣のうち一部の紙幣を他の紙幣収納庫３０に収納するかリジェクトする必要が生じてしまうからである。とりわけ、紙幣収納カセット４０のようなオーバーフロー紙幣を収納する収納庫がない紙幣処理機においては、リジェクトするしかないため、この課題はより顕著なものとなる。このため、識別部１８により紙幣が識別された際に、当該紙幣の金種に対応する紙幣収納庫３０にこの紙幣を収納させる際に紙幣収納庫３０における紙幣の収納状態が所定の状態（具体的には、満杯状態）となっていると予想される場合には、識別部１８により識別された紙幣を一時保留部２０に送らないようにすることによって、一時保留部２０に一時的に保留されている紙幣を各紙幣収納庫３０に送る際に紙幣収納庫３０で紙幣のオーバーフローが発生してしまうことを抑制することができるようになる。なお、識別部１８により紙幣が識別された際に、当該紙幣の金種に対応する紙幣収納庫３０にこの紙幣を収納させる際に紙幣収納庫３０における紙幣の収納状態が所定の状態（具体的には、満杯状態）となっていないと予想される場合には（ＳＴＥＰ２４の「ＮＯ」）、当該紙幣は搬送部１６により一時保留部２０に送られ、この一時保留部２０で一時的に保留される（ＳＴＥＰ２５）。
【００８２】
なお、図９のフローチャートに示される動作が行われるような紙幣処理機１０において投出部１４が設けられておらず、代わりに上記のリジェクト部（図示せず）が設けられている場合には、識別部１８により紙幣が識別された際に、当該紙幣の種別（具体的には、例えば紙幣の金種）に対応する紙幣収納庫３０にこの紙幣を収納させる際に紙幣収納庫３０における紙幣の収納状態が所定の状態（具体的には、満杯状態）となっていると予想される場合には、当該紙幣は搬送部１６によりリジェクト部に送られ、このリジェクト部に集積されるようになる。
【００８３】
上述したＳＴＥＰ２１〜ＳＴＥＰ２５に示す動作は、投入部１２に投入された紙幣が全て筐体１１内に繰り出されて一時保留部２０または投出部１４に送られるまで繰り返し行われる（ＳＴＥＰ２７の「ＮＯ」）。そして、投入部１２に投入された紙幣が全て筐体１１内に繰り出されて一時保留部２０または投出部１４に送られると（ＳＴＥＰ２７の「ＹＥＳ」）、入金確定の承認を操作者に求めるメッセージが操作表示部５２に表示される。その後の動作は、図４のＳＴＥＰ７〜ＳＴＥＰ１５に示す動作と略同一となる。
【００８４】
このように、図９のフローチャートに示される動作が行われるような紙幣処理機１０では、制御部５０は、記憶部５４に記憶されている各紙幣収納庫３０の最大容量、各紙幣収納庫３０における紙幣の収納量および一時保留部２０に一時的に保留されている紙幣の種別に係る情報に基づいて、識別部１８により識別された紙幣を一時保留部２０に搬送する動作を選択的に規制するようになっている。この場合には、一時保留部２０に一時的に保留される紙幣の量が、紙幣収納庫３０の空き容量よりも大きくなることを抑制することができるため、一時保留部２０に一時的に保留されている紙幣をリジェクト等させずに確実に各紙幣収納庫３０に収納させることができるようになる。具体的には、制御部５０は、識別部１８により識別された紙幣の種別（具体的には、例えば紙幣の金種）に対応する紙幣収納庫３０に当該紙幣を収納させる際に紙幣収納庫３０における紙幣の収納状態が所定の状態（例えば、満杯状態）となっていると予想される場合には、識別部１８により識別された当該種別の紙幣を一時保留部２０に搬送しないよう搬送部１６の制御を行うようになっている。
【００８５】
なお、図９のフローチャートに示される動作が行われるような紙幣処理機１０において、制御部５０による搬送部１６の制御方法の別の例として、識別部１８により紙幣が識別された際に、当該紙幣の種別（具体的には、例えば紙幣の金種）に対応する紙幣収納庫３０に当該紙幣を収納させる際に紙幣収納庫３０における紙幣の収納状態が所定の状態（例えば、満杯状態）となっていると予想される場合には、識別部１８により識別された紙幣の種別に関係なく、識別部１８により識別された紙幣を一時保留部２０に搬送しないようにしてもよい。この場合でも、一時保留部２０に一時的に保留される紙幣の量が、紙幣収納庫３０の空き容量よりも大きくなることを抑制することができるため、一時保留部２０に一時的に保留されている紙幣をリジェクト等させずに確実に各紙幣収納庫３０に収納させることができるようになる。
【００８６】
また、図９のフローチャートに示される動作が行われるような紙幣処理機１０において、識別部１８により紙幣が識別された際に、当該紙幣の種別（具体的には、例えば紙幣の金種）に対応する紙幣収納庫３０に当該紙幣を収納させる際に紙幣収納庫３０における紙幣の収納状態が所定の状態（例えば、満杯状態）となっていると予想される場合には、制御部５０は、紙幣繰出機構１２ａによる投入部１２からの紙幣の繰出動作を停止させるようになっていてもよい。この場合には、筐体１１の内部に紙幣が繰り出される動作自体を停止させることにより、一時保留部２０に一時的に保留される紙幣の量が、紙幣収納庫３０の空き容量よりも大きくなることを抑制することができる。
【００８７】
なお、本実施の形態による紙幣処理機１０、１０ａ、１０ｂに係る上記の説明において、各紙幣収納庫３０や紙幣収納カセット４０等の最大容量や収納量は、紙幣の枚数に係るものに限定されることはなく、紙幣の金額に係るものであってもよい。また、上記の説明において、各紙幣収納庫３０や紙幣収納カセット４０等における紙幣の収納量として、最大容量に対する割合が用いられてもよい。
【００８８】
また、上記の紙幣処理機１０、１０ａ、１０ｂにおいて、各紙幣収納庫３０や紙幣収納カセット４０等に、これらの各紙幣収納庫３０や紙幣収納カセット４０において紙幣が満杯状態となったときにこのことを検知するフル検知センサが設けられるようになっていてもよい。この場合には、各紙幣収納庫３０や紙幣収納カセット４０において紙幣が満杯状態となったことがフル検知センサにより検知されたときに、該当する紙幣収納庫３０や紙幣収納カセット４０に紙幣を送らないよう搬送部１６が制御部５０により制御されるようになる。
【００８９】
また、上記の紙幣処理機１０、１０ａ、１０ｂにおいて、投入部１２に投入された紙幣が紙幣繰出機構１２ａにより筐体１１の内部に１枚ずつ繰り出されて搬送部１６に送られた後、当該搬送部１６により識別部１８に送られて識別部１８により紙幣の識別が行われる際に、複数の紙幣が連続して斜行状態であると識別部１８により識別された場合には、ハイブリッド紙幣の連続斜行状態が発生したという情報が制御部５０により出力されるようになっていてもよい。ここで、ハイブリッド紙幣の官封券（すなわち、市場に未だ流通していないピン札）は、市場に流通しているハイブリッド紙幣と比較して、ポリマーフィルム部分Ｐ２の摩擦係数が他の部分（具体的には、紙部分Ｐ１）の摩擦係数よりも高くなっているため、投入部１２に投入されたハイブリッド紙幣の官封券を紙幣繰出機構１２ａにより筐体１１の内部に繰り出す際にこのようなハイブリッド紙幣の官封券が大きく斜行してしまうおそれがある。これに対し、ハイブリッド紙幣の官封券に一度でも手を触れたり、筐体１１の内部で搬送部１６により搬送したりした場合には、ポリマーフィルム部分Ｐ２の摩擦係数が低下する。このため、識別部１８により斜行状態であると識別されリジェクト紙幣として投出部１４に送られたハイブリッド紙幣の官封券を再び投入部１２に投入した場合には、紙幣繰出機構１２ａにより筐体１１の内部に繰り出す際に大きく斜行することなく搬送部１６に送ることができるようになる。
【００９０】
このような技術的事項を踏まえ、変形例に係る紙幣処理機１０、１０ａ、１０ｂでは、識別部１８によって複数の紙幣が連続して斜行状態であると識別された場合には、複数のハイブリッド紙幣の官封券が投入部１２にまとめて投入されたと推定し、ハイブリッド紙幣の連続斜行状態が発生したという情報を制御部５０により出力させる。そして、このような情報が制御部５０により出力されると、投出部１４に送られた紙幣を投入部１２に再投入することを操作者に催促する旨のメッセージを操作表示部５２に表示させる。この場合には、複数のハイブリッド紙幣の官封券が投入部１２にまとめて投入され、識別部１８によって複数の紙幣が連続して斜行状態であると識別されたときでも、投出部１４にリジェクト紙幣として送られたハイブリッド紙幣を投入部１２に再投入して紙幣繰出機構１２ａにより筐体１１の内部に繰り出させることにより、紙幣繰出機構１２ａによりハイブリッド紙幣の繰出動作を行う際に当該ハイブリッド紙幣が大きく斜行することなく搬送部１６に送ることができるようになる。このことにより、識別部１８によって複数の紙幣が連続して斜行状態であると識別された場合でも操作者が戸惑うことなく、投出部１４にリジェクト紙幣として送られたハイブリッド紙幣の投入部１２への再セット率を高めることができる。
【００９１】
なお、このような変形例に係る紙幣処理機１０、１０ａ、１０ｂでは、複数の紙幣が連続して斜行状態となる回数を予め設定しておき、識別部１８によって紙幣が斜行状態であると連続して識別された回数が上記の設定回数に達したときに、ハイブリッド紙幣の連続斜行状態が発生したという情報を制御部５０が出力するようになっている。また、このような設定回数が変更可能となっていてもよい。また、ハイブリッド紙幣の連続斜行状態が発生したという情報が制御部５０により出力されたときに、この情報が記憶部５４にログとして記憶されるようになっていてもよい。この場合には、記憶部５４に記憶されるログに基づいて、ハイブリッド紙幣の官封券により斜行状態が発生したことと、それ以外の理由により紙幣の斜行状態が発生したことを操作者は区別することができるようになる。
【００９２】
また、更に別の変形例に係る紙幣処理機において、紙幣の表裏を反転させる表裏反転部が搬送部に設けられていてもよい。この場合には、テープにより紙幣をドラムの外周面に巻き付けるようなテープ式の一時保留部や紙幣収納部にハイブリッド紙幣を収納させる際に、ドラムに巻き付けられるハイブリッド紙幣におけるポリマーフィルム部分Ｐ２の長手方向の位置（すなわち、図３における左右方向の位置）が交互に入れ替わるように、テープ式の一時保留部や紙幣収納部に送られる前のハイブリッド紙幣の表裏が表裏判定部により反転させられるようになっていてもよい。このような紙幣処理機によれば、ドラムの外周面に巻き付けられる複数のハイブリッド紙幣におけるポリマーフィルム部分Ｐ２が当該ハイブリッド紙幣の長手方向における特定の位置で積み重なってしまうことを防止することができる。このことにより、ドラムの軸に対して直交する方向から見て、各テープによりドラムの外周面に巻き取られた複数のハイブリッド紙幣がいわゆる円錐状となってしまうことを抑制することができ、よってドラムに収納されたハイブリッド紙幣の位置が当該ドラムの軸方向にずれてしまうことを防止することができるようになる。
【００９３】
また、本実施の形態による紙幣処理機で処理される紙幣として、全部がポリマーフィルム部分から構成されるものが用いられるようになっていてもよい。この場合には、全部がポリマーフィルム部分から構成される紙幣が識別部により識別された際に、当該識別部はこの紙幣を特定種別の紙幣であると判別するようになる。
【００９４】
また、本発明による紙葉類処理機およびこのような紙葉類処理機による紙葉類処理方法は、上述した、紙幣の入金処理等の様々な処理を行う紙幣処理機１０、１０ａ、１０ｂやこのような紙幣処理機１０、１０ａ、１０ｂによる紙幣処理方法に限定されることはない。本発明による紙葉類処理機およびこのような紙葉類処理機による紙葉類処理方法として、紙幣以外の証券、小切手、チケット等の紙葉類の処理を行う紙葉類処理機や、紙幣以外の証券、小切手、チケット等の紙葉類の処理に関する紙葉類処理方法が用いられてもよい。
【符号の説明】
【００９５】
１０、１０ａ、１０ｂ  紙幣処理機
１１  筐体
１２  投入部
１２ａ  紙幣繰出機構
１４  投出部
１６  搬送部
１８  識別部
２０  一時保留部
３０  紙幣収納庫
３２  紙幣繰出機構
３４  記憶部
４０  紙幣収納カセット
４２  紙幣繰出機構
４４  記憶部
５０  制御部
５２  操作表示部
５４  記憶部
５６  通信インターフェース部
５８  最大容量変更手段
５９  最大容量設定手段
６０  収納繰出部
７０  読取部
【図１】
2017027431.tif 000003
【図２】
2017027431.tif 000004
【図３】
2017027431.tif 000005
【図４】
2017027431.tif 000006
【図５】
2017027431.tif 000007
【図６】
2017027431.tif 000008
【図７】
2017027431.tif 000009
【図８】
2017027431.tif 000010
【図９】
2017027431.tif 000011